(57)【要約】【課題】  容易にカラー画像表示の適正化を図ることができる通信機能付撮像装置等を提供する。【解決手段】  再生する画像において比較対象とする任意のピクセルを決定する（Ｓ１０４）。決定した対象ピクセルと周囲のピクセルとを比較し、そのデータに差があるか否かを判断する（Ｓ１０５）。差がある場合には、当該画像は写真画像であると判断し（Ｓ１０８）、差がない場合には、差のない周囲ピクセルが所定以上連続するか否かを判断する（Ｓ１０６）。所定以上連続していると判断された場合には、写真画像以外の他の画像であると判断する（Ｓ１０７）。写真画像以外の他の画像（イラスト、アニメ、文字、数字、記号等）であると判断した場合には、表示部に表示される画像が寒色系となるように、画像データを補正する（Ｓ１０９）。写真画像であると判断した場合には、表示部に表示される画像が暖色系となるように、画像データを補正する（Ｓ１１０）。【選択図】    図５
2005316218.tif 000002
【特許請求の範囲】
【請求項１】
撮像手段と、
外部と通信する通信手段と、
カラー表示可能な表示手段と、
この表示手段に表示させる画像が前記撮像手段によって撮像されたものであるか、前記通信手段による通信により取得された画像であるかを判断する判断手段と、
この判断手段による判断結果に基づき、画像の色調を変化させて前記表示手段に表示させる表示制御手段と
を備えることを特徴とする通信機能付撮像装置。
【請求項２】
前記表示制御手段は、前記判断手段により前記画像が前記撮像手段により撮像されたものであると判断された場合には当該画像の色調を暖色系に変化させて前記表示手段に表示させ、前記通信手段による通信により取得された画像であると判断された場合には当該画像の色調を寒色系に変化させて前記表示手段に表示させることを特徴とする請求項１記載の通信機能付撮像装置。
【請求項３】
前記判断手段は、前記画像を構成する所定範囲内のピクセルデータが連続して同一か否かを判断し、前記所定範囲内のピクセルデータが連続して同一の場合は前記通信手段による通信により取得された画像であると判断する一方、そうでない場合は前記撮像手段により撮像されたものであると判断することを特徴とする請求項１又は２記載の通信機能付撮像装置。
【請求項４】
前記通信手段による通信により取得された画像はイラストデータを含むことを特徴とする請求項１乃至３の何れかに記載の通信機能付撮像装置。
【請求項５】
撮影部と、外部と通信する通信部と、カラー表示可能な表示部とを備える電子機器における画像表示制御方法であって、
この表示部に表示されるべき画像が前記撮像部にて撮像されたものであるか、前記通信部による通信により取得された画像であるかを判断する判断ステップと、
この判断ステップによる判断結果に基づき、画像の色調を変化させて前記表示部に表示させる表示制御ステップと
を含むことを特徴とする画像表示方法。
【請求項６】
撮影部と、外部と通信する通信部と、カラー表示可能な表示部とを備える電子機器が有するコンピュータを、
この表示部に表示されるべき画像が前記撮像部にて撮像されたものであるか、前記通信部による通信により取得された画像であるかを判断する判断ステップと、
この判断ステップによる判断結果に基づき、画像の色調を変化させて前記表示部に表示させる表示制御ステップと
して動作させることを特徴とする画像表示制御プログラム。
【発明の詳細な説明】
【技術分野】
【０００１】
本発明は、外部との通信機能と撮像機能とを併有する通信機能付撮像装置、及び電子機器における画像表示制御方法、画像表示制御プログラムに関する。
【背景技術】
【０００２】
従来、携帯端末に設けられている表示部に、色調補正を行って画像を表示させるシステムが提案されるに至っている。このシステムは、複数の携帯端末と、この複数の携帯端末に対してカラー画像データを送信するパーソナルコンピュータと、発色特性データベースとからなる。パーソナルコンピュータは、携帯端末から画像データの送信要求があると、当該送信要求を行った携帯端末の機種を示すデータに基づいて、発色特性データベースからその機種に対応する発色補正用データを読み出す。さらに、この発色補正用データに基づいて、携帯端末に送信する画像データに含まれる色データの色調補正を行い、この色調補正を行った画像データを携帯端末に送信する。これにより、携帯端末の機種の相違にかかわらず、何れの機種においても、各色の色調がバランスしたカラー画像を表示させることができるとするものである（例えば、特許文献１参照。）。
【特許文献１】特開２００２−３５９７４６号公報
【発明の開示】
【発明が解決しようとする課題】
【０００３】
しかしながら、前述した技術にあってはシステムで構成され、携帯端末のみならずパーソナルコンピュータや発色特性データベースを必要とする。したがって、これを実現するためには、携帯端末、パーソナルコンピュータ及び発色特性データベースからなるシステムを構築しなければならず、容易に携帯端末におけるカラー画像表示の適正化を図ることができるものではなかった。
【０００４】
又、昨今の携帯電話は、撮像機能と、従来からある無線通信機能を利用することにより外部ネットワークに接続し、グラフィックデータ等の多階調のイラスト画像を取得する機能を有し、より高い表現力を備えた表示デバイスを備えるに至っているが、撮影機能を利用することにより撮影された画像も、外部ネットワークを介して取得した画像も同じ色調で表現されていた。
【０００５】
本発明はこのような問題点に鑑みてなされたものであり、容易にカラー画像表示の適正化を図ることができる通信機能付撮像装置、画像表示制御方法、及び、画像表示制御プログラムを提供することを目的とする。
【課題を解決するための手段】
【０００６】
前記課題を解決するため請求項１記載の発明に係る通信機能付撮像装置にあっては、撮像手段と、外部と通信する通信手段と、カラー表示可能な表示手段と、この表示手段に表示させる画像が前記撮像手段によって撮像されたものであるか、前記通信手段による通信により取得された画像であるかを判断する判断手段と、この判断手段による判断結果に基づき、画像の色調を変化させて前記表示手段に表示させる表示制御手段とを備える。
【０００７】
したがって、表示手段には、表示される画像が当該通信機能付撮像装置の撮像手段によって撮像された撮像（写真画像）であるか、通信手段による通信により取得された画像、例えばイラスト、アニメ、文字、数字、記号などの写真画像以外の画像であるかに応じて、異なる色調で画像が表示されてカラー画像表示の適正化が図られる。このとき、携帯機器は自機が有する手段のみを用いてカラー画像表示の適正化を実現することから、システムを構築する必要がなく容易にカラー画像表示の適正化が図られる。また、撮像機能を利用することにより撮像された画像と、通信機能を利用することにより外部ネットワークに接続し取得した、グラフィックデータ等の多階調のイラスト画像とが、高い表現力を備えた表示手段において、異なる色調で適正に表現して表示される。
【０００８】
また、請求項２記載の発明に係る通信機能付撮像装置にあっては、前記表示制御手段は、前記判断手段により前記画像が前記撮像手段により撮像されたものであると判断された場合には当該画像の色調を暖色系に変化させて前記表示手段に表示させ、前記通信手段による通信により取得された画像であると判断された場合には当該画像の色調を寒色系に変化させて前記表示手段に表示させる。したがって、写真画像は暖色系で表示されることにより、写真画像表示において好ましい表示態様となり、一方、イラスト、アニメ、文字、数字、記号などの写真画像以外の画像は寒色系で表示されることにより、イラストやアニメ等において好ましい表示態様となる。
【０００９】
また、請求項３記載の発明に係る通信機能付撮像装置にあっては、前記判断手段は、前記画像を構成する所定範囲内のピクセルデータが連続して同一か否かを判断し、前記所定範囲内のピクセルデータが連続して同一の場合は前記通信手段による通信により取得された画像であると判断する一方、そうでない場合は前記撮像手段により撮像されたものであると判断する。
【００１０】
すなわち、撮像された画像ならば、任意のピクセルとその周囲のピクセルとでピクセルデータ（ＲＧＢデータであるならば、Ｒ、Ｇ、Ｂ夫々の値の差、ＹＵＶデータならば輝度と色差）が長く続く確率が低く、イラストや文字データならば同じデータが続く確率が高い。よって、ピクセルのデータに基づき容易に撮像された画像と通信手段による通信により取得された画像とを識別することができる。
【００１１】
また、請求項４記載の発明に係る通信機能付撮像装置にあっては、前記通信手段による通信により取得された画像はイラストデータを含む。したがって、イラストデータからなる画像が、撮像された画像とは異なる色調の寒色系で表示されることにより、イラスト表示において好ましい表示態様となる。
【００１２】
また、請求項５記載の発明は、撮影部と、外部と通信する通信部と、カラー表示可能な表示部とを備える電子機器における画像表示制御方法であって、この表示部に表示されるべき画像が前記撮像部にて撮像されたものであるか、前記通信部による通信により取得された画像であるかを判断する判断ステップと、この判断ステップによる判断結果に基づき、画像の色調を変化させて前記表示部に表示させる表示制御ステップとを含む。したがって、記載したステップに従って処理を実行することにより、請求項１記載の発明と同様の作用効果を奏する。
【００１３】
また、請求項６記載の発明に係る画像表示制御プログラムにあっては、撮影部と、外部と通信する通信部と、カラー表示可能な表示部とを備える電子機器が有するコンピュータを、この表示部に表示されるべき画像が前記撮像部にて撮像されたものであるか、前記通信部による通信により取得された画像であるかを判断する判断ステップと、この判断ステップによる判断結果に基づき、画像の色調を変化させて前記表示部に表示させる表示制御ステップとして動作させる。したがって、前記コンピュータがこのプログラムに従って処理を実行することにより、請求項１記載の発明と同様の作用効果を奏する。
【発明の効果】
【００１４】
以上説明したように、請求項１、５、６に係る発明によれば、表示手段に、表示される画像が写真画像であるか、イラスト、アニメ、文字、数字、記号などの写真画像以外の画像であるあるかに応じて、異なる色調で画像を表示することができこれによりカラー画像表示の適正化を図ることができる。しかも、携帯機器は自機が有する手段のみを用いてカラー画像表示の適正化を実現することから、システムを構築する必要がなく容易にカラー画像表示の適正化を図ることができる。また、撮像機能を利用することにより撮像された画像と、通信機能を利用することにより外部ネットワークに接続し取得した、グラフィックデータ等の多階調のイラスト画像とを、高い表現力を備えた表示手段において、異なる色調で適正に表現して表示することができる。
【００１５】
さらに、請求項２に係る発明によれば、撮像された画像は暖色系で表示されることにより、撮像された画像表示において好ましい表示態様となり、一方、イラスト、アニメ、文字、数字、記号など通信により取得した画像は寒色系で表示されることにより、イラストやアニメ等において好ましい表示態様となり、ＮＴＳＣ比が低い表示手段であっても最適な画質を得ることができる。
【００１６】
また、請求項３に係る発明によれば、ピクセルのデータに基づき容易に撮像された画像（写真画像）とこれ以外の他の画像とを識別することができる。
【００１７】
また、請求項４に係る発明によれば、イラストデータからなる画像が、撮像された画像とは異なる色調の寒色系で表示されることにより、好ましい表示態様でイラスト表示を行うことができる。
【発明を実施するための最良の形態】
【００１８】
以下、本発明の一実施の形態を図に従って説明する。
（第１の実施の形態）
図１は、本実施の形態に係る携帯電話１の蓋を開いた状態の正面図に相当する外観図、図２は同背面図である。この携帯電話１は、ＣＤＭＡ  ２００００  １ｘＥＶ−ＤＯ（商標）に対応する機能を備えるものであり、ＣＤＭＡ  ２００００  １ｘＥＶ−ＤＯ（商標）とは、ＣＤＭＡ方式の無線通信規格ＩＭＴ−２０００に含まれているＣＤＭＡ  ２００００  １ｘ（商標）の派生サービスであり、データ通信用に特化されたものである。
【００１９】
このＣＤＭＡ  ２００００  １ｘＥＶ−ＤＯは、ＨＤＲ（Ｈｉｇｈ  Ｄａｔａ  Ｒａｔｅ）の一種であり、音声通信に必須とされるリアルタイム応答性や高速移動時の通信の保証（ハンドオーバー、Ｒａｋｅ受信）を廃止することにより、１．２５ＭＨｚの帯域幅をすべてデータ通信向けに割り振り、下り伝送速度を最大２．４Ｍｂｐｓ、上り伝送速度を最大１５３Ｋｂｐｓにするサービスであり、この下り伝送速度を利用して、通信事業者は映像コンテンツなどの大容量のデータ配信サービスを予定している。
【００２０】
このサービスに対応させるため、本実施の形態の携帯電話１は、通常の音声通信を行うための無線通信モジュールのほかに、無線高速データ通信用の無線通信モジュールを備える。
【００２１】
図示のように、蓋部２は本体部３に対しヒンジ部１００を回転軸として開閉可能に配置されている。また、後述するが、メインスピーカ５、表示部６、サブスピーカ７を備え、データ通信用の内蔵アンテナ１６を内蔵している。表示部６は、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。
【００２２】
本体部３は、キー入力部８と、マイク１０を備える。キー入力部８は、メニュー表示時におけるフォーカス移動のための十字キー８１、決定のための決定キー８２、アドレス帳データ閲覧のためのアドレス帳キー８３、ネットワーク接続を指示するためのネットワーク接続キー８４、再生モードを起動させるための再生キー８５、メールモード（受信、作成、編集、送信）を起動させるためのメールキー８６、オフフックキー８７、クリアキー８８（キャンセル検出）、オンフックキー８９（オールクリア：着信待ち状態にジャンプ指示）、電話番号や文字記号を入力するためのテンキー８１０等からなる。なお、決定キー８２は、本実施の形態においてシャッターキーとして機能する。
【００２３】
また、内蔵アンテナ１６とメインアンテナ１１は、蓋部２を回動させた状態であっても、閉じた状態であっても、スペースダイバーシチ受信を行うのに有効な位置関係にあり、メインアンテナ１１は伸縮可能である。１３は報知用ＬＥＤ、１４は報知用スピーカ、１７は撮像レンズである。
【００２４】
図３は、携帯電話１の回路構成を示すブロック図である。受信信号処理部１８は、データ通信モードの開始指示をスイッチ回路２０１より受けると、外部の無線基地局とのネゴシエーション（端末認証、回線接続）を開始し、通信帯域幅を一時的に占有する処理を行う。そして、内蔵アンテナ１６により受信された無線信号より自機宛に符号変調された信号を抽出して、スイッチ回路２０１を介して通信データ処理部２０２に出力する。
【００２５】
通信信号処理部１９は、待ち受け状態においても、また、データ通信モードにおいても、常に電源供給されており、通信データ処理部からのデジタル変調信号（送信音声データ、メールデータ、ネットワーク接続情報を含むパケットデータ）を、符号変調してメインアンテナ１１より出力する。また一方で、無線基地局より送信され、メインアンテナ１１により受信された無線信号より自機宛に符号変調された信号を抽出して、スイッチ回路２０１を介して通信データ処理部２０２に出力する。
【００２６】
第１制御部２０は、無線基地局、及びその後段にあたる、通信サービス事業者、インターネット等のネットワークインフラを介して接続されるデータベース等の、情報資源との接続制御を中心とした処理を行う。なお、本実施の形態においては、携帯電話１は二つの制御部を備えており、通信処理全般については第１制御部２０、その他、撮影処理、画像処理、映像の再生処理に関しては後述の第２制御部２２で行う。また、本実施の形態においては、第２制御部２２が、本発明における判断手段、表示制御手段を構成するものである。
【００２７】
スイッチ回路２０１は、通信データ処理部２０２からの制御信号を受け、受信信号処理部１８、通信信号処理部１９への電源供給、処理動作開始終了の制御を行う。詳細には、通常電源オン状態、もしくは、受信ＯＮモード状態であれば、通信信号処理部１９のみに電源を供給して動作させ、一方で、ユーザーがネットワーク接続キー８４を操作したか、あるいは、予め設定されたスケジュールに従い、データ通信モードの開始が指示された場合は、受信信号処理部１８と通信信号処理部１９とを動作させる。
【００２８】
通信データ処理部２０２は、音声処理部２０５より出力されたＣＥＬＰ系デジタル音声データをＰＳＫ系方式に対応する信号に変調、及び拡散符号に変調するとともに、受信信号処理部１８、通信信号処理部１９にて受信される符号変調された信号をＰＳＫ系方式、及び／又は、ＱＡＭ系方式のデジタル信号に復号する処理を行う。また２０２０は、ＩＤメモリであり、当該携帯電話１に予め割り当てられ、無線基地局、通信サービス事業者、及びインターネット接続のための固有情報を記憶する。この情報とは、例えば、サービス事業者毎に割り当てられたサービスコードであったり、当該携帯電話１を呼び出すための電話番号であったり、当該携帯電話１のメーカーコードであったり、インターネット接続のためのＩＰアドレス、メールアドレスが含まれる。
【００２９】
システムＲＯＭ２０３は、通信制御のための制御プログラムを格納する。本実施の形態の特徴としては、通常の通信ネゴシエーションプログラムの他に受信信号処理部１８と通信信号処理部１９との動作切替制御プログラムを記憶する。これにより、データ通信モードの開始が指示された場合は、メインアンテナ１１と内蔵アンテナ１６によるスペースダイバーシチ受信を行わせて、一時的に通信帯域幅を占有し、受信信号処理部１８、通信信号処理部１９の双方より出力される符号変調された信号をほぼ同時にＱＡＭ系方式のデジタル信号（本実施の形態においては、ＭＰＥＧ−２、−４形式で圧縮された映像コンテンツ）に復号、合成して、インターフェイス処理部２０４を介してバス２００に出力するプログラムを記憶する。
【００３０】
音声処理部２０５は、ＣＥＬＰ系の音声変調／復調システムと、ＭＰＥＧオーディオ系の音声復調システムとをあわせ持っている。
【００３１】
スイッチ回路２０６は、通話状態においては、音声処理部２０５から出力されるアナログ音声をメインスピーカ５から出力させるともに、ムービー再生においては、オーディオアンプ２０７を介してムービーファイルに格納されるオーディオ信号をメインスピーカ５から出力させる処理を行う。
【００３２】
スイッチ２１は、第２制御部２２からの制御により、ムービーファイルに格納されるオーディオデータがステレオ対応である場合、メインスピーカ５、サブスピーカ７の両方にオーディオ信号を出力する。
【００３３】
第２制御部２２は、データ通信モードによりダウンロードしたムービーファイルや、カメラモードにおける静止画／動画の再生表示処理、及び、撮影処理全般の制御を行う。なお、本実施の形態においては、携帯電話機能による着信割り込み時において上述の第１制御部２０との並行処理が可能だが、これらの処理に伴うバス２００へのアドレス／データの割り込み処理については、インターフェイス処理部２０４が行うものとする。
【００３４】
プログラムＲＯＭ２３は、後述するフローチャートに示す再生モード処理等の各処理プログラムを格納するとともに、表示バッファ６２への書き込み開始／終了アドレスの制御を行う表示ドライバ６１の制御プログラムを記憶し、これらプログラムは適宜第２制御部２２にロードされる。色調変換フィルタ６３は、静止画及びムービー再生時において表示ドライバ６１に供給される画像データを暖色系と寒色系のいずれかに補正するものである。
【００３５】
ＲＡＭ２４は、データ通信処理や、音声通信において必要とされる各種データを記憶する。詳細には、図４に記載されるように、電話番号、メールアドレス、住所、固有のイメージ（画像、若しくはイラスト）を対応付けて記憶するアドレス帳記憶領域２４１、メール通信にて送受信されるメールデータを記憶するメールデータ記憶領域２４２、メールに添付された画像（静止画、動画）、及びカメラモードにて撮影された写真画像（静止画／動画）を圧縮処理された状態で記憶する画像記憶領域２４３、ネットワーク接続により受信した圧縮処理されたマルチメディアファイル（写真画像（静止画、動画）、イラスト、アニメ、文字、数字、記号などの写真画像以外の画像）を記憶するダウンロードデータ記憶領域２４４、及び、各種ファイルの圧縮処理、伸張処理の際に一時的に使用するためのワークメモリ２４５の各領域を備える。
【００３６】
圧縮伸張処理部２５は、ＭＰＥＧ−２、−４に対応し、カメラモードにて撮影された静止画／動画を圧縮処理するとともに、再生モードにおけるデータ通信モードによりダウンロードしたムービーファイルや、カメラモードにおける静止画／動画を伸張処理する。
【００３７】
報知ドライバ２６は、着信処理を検出した際、これを報知せしめるために報知用ＬＥＤ１３、報知用スピーカ１４を動作させる。スイッチ処理部２７は、キー入力部８からの操作検出に伴う第１制御部２０、第２制御部２２への制御信号を出力する。また一方で、キー入力部８の操作検出のオン／オフ、機能変更のための信号を受け、これらのキー、及び、スイッチの機能を制御する。
【００３８】
なお、１７はカメラレンズであるが、その後段には、ＣＣＤ、若しくはＣＭＯＳ等のイメージセンサーからなる撮像手段としての撮像デバイス１７１と、この撮像デバイスで撮り込まれたアナログ信号をデジタル信号に変換し、イメージデータを生成するためのＤＳＰ１７２とが備えられている。
【００３９】
以上の構成に係る本実施の形態において、ユーザが再生キー８５を操作して再生モードを設定すると、第２制御部２２は、プログラムＲＯＭ２３に格納されているプログラムに基づき、図５に示すフローチャートに従って処理を開始する。
【００４０】
すなわち、ユーザが予め画像記憶領域２４３から選択して再生対象とした当該携帯電話１で撮影した画像、又はダウンロードデータ記憶領域２４４から選択して再生対象とした画像が静止画と静止画のいずれであるかを判断する（ステップＳ１０１）。静止画であるならば、当該静止画の画像データをワークメモリ２４５に展開する（ステップＳ１０２）。また、動画であるならば、当該動画の第１フレームの画像データをワークメモリ２４５に展開する（ステップＳ１０３）。
【００４１】
次に、この展開した画像データにおいて、比較対象とする任意のピクセルを決定する（ステップＳ１０４）。さらに、この決定した対象ピクセルと周囲のピクセルとを比較し、そのデータに差があるか否かを判断する（ステップＳ１０５）。すなわち、図６に示すように、対象ピクセルをＰ０とすると、この対象ピクセルＰ０の周囲にはこれを取り囲む周囲ピクセルＰ１〜Ｐ８が存在する。したがって、対象ピクセルＰ０に対し周囲ピクセルＰ１〜Ｐ８を比較対象として、当該画像データがＲＧＢデータであるならば、対象ピクセルＰ０と周囲ピクセルＰ１〜Ｐ８とのＲ、Ｇ、Ｂ夫々の値の差があるか否かを判断し、ＹＵＶデータならば輝度の相違と色差があるか否かを判断する。そして、対象ピクセルＰ０と周囲ピクセルＰ１〜Ｐ８とにデータの差がある場合には、当該画像は写真画像であると判断する（ステップＳ１０８）。
【００４２】
また、対象ピクセルＰ０と周囲ピクセルＰ１〜Ｐ８とにデータの差がない場合には、周囲ピクセルＰ１〜Ｐ８のさらに周囲を取り囲む周囲ピクセルと対象ピクセルＰ０とのデータを比較して行き、差のない周囲ピクセルが所定以上連続するか否かを判断する（ステップＳ１０６）。このステップＳ１０６での判断の結果、前記データに差のないピクセルが所定以上連続していると判断された場合には、写真画像以外の他の画像であると判断する（ステップＳ１０７）。これとは逆に、前記データに差のないピクセルが所定以上連続していない場合には、前述と同様に当該画像は写真画像であると判断する（ステップＳ１０８）。
【００４３】
そして、ステップＳ１０７で当該画像が写真画像以外の他の画像、すなわちイラスト、アニメ、文字、数字、記号等であると判断した場合には、表示部６に表示される画像が寒色系となるように、色調変換フィルタ６３を制御して、表示ドライバ６１に供給する画像データを補正する（ステップＳ１０９）。したがって、表示ドライバ６１にこの補正された画像データが供給されることにより、表示部６には寒色系に補正されたイラスト、アニメ、文字、数字、記号等が表示されることとなる。ここで、一般にイラスト、アニメ、文字、数字、記号などの写真画像以外の画像は寒色系で表示されることが好ましいとされていることから、これら写真画像以外の画像を適切な表示形態で表示することができる。
【００４４】
また、ステップＳ１０８で当該画像が写真画像であると判断した場合には、表示部６に表示される画像が暖色系となるように、色調変換フィルタ６３を制御して表示ドライバ６１に供給する画像データを補正する（ステップＳ１１０）。したがって、表示ドライバ６１にこの補正された画像データが供給されることにより、表示部６には暖色系に補正された写真画像が表示されることとなる。ここで、一般に写真画像は暖色系で表示されることが好ましいとされていることから、写真画像も適切な表示形態で表示することができる。
【００４５】
（第２の実施の形態）
図７は、本発明の第２の実施の形態における再生モード時の第２制御部２２の処理手順を示すフローチャートである。すなわち、ユーザが予め画像記憶領域２４３から再生を選択した当該携帯電話１で撮影した画像、又はダウンロードデータ記憶領域２４４から再生を選択した画像が静止画と静止画のいずれであるかを判断する（ステップＳ２０１）。静止画であるならば、当該静止画の画像データをワークメモリ２４５に展開する（ステップＳ２０２）。また、動画であるならば、当該動画の第１フレームの画像データをワークメモリ２４５に展開する（ステップＳ２０３）。
【００４６】
次に、この展開した画像データにおいて、画像を構成する全てのピクセルの色周波数をピクセル毎に検出する（ステップＳ２０４）。そして、予め決定されている所定の周波数を基準として、この所定周波数以上のピクセルの方が多いか否かを判断する（ステップＳ２０５）。このステップＳ１０５での判断の結果、所定周波数以上のピクセルの方が多い場合には、当該画像は写真画像であると判断する（ステップＳ１０８）。これとは逆に、所定周波数以上のピクセルの方が少ない場合には、写真画像以外の他の画像であると判断する（ステップＳ２０６）。
【００４７】
そして、ステップＳ２０６で当該画像が写真画像以外の他の画像、すなわちイラスト、アニメ、文字、数字、記号等であると判断した場合には、表示部６に表示される画像が寒色系となるように、色調変換フィルタ６３を制御して、表示ドライバ６１に供給する画像データを補正する（ステップＳ２０８）。したがって、表示ドライバ６１にこの補正された画像データが供給されることにより、表示部６には寒色系に補正されたイラスト、アニメ、文字、数字、記号等が表示されることとなる。
【００４８】
また、ステップＳ２０７で当該画像が写真画像であると判断した場合には、表示部６に表示される画像が暖色系となるように、色調変換フィルタ６３を制御して表示ドライバ６１に供給する画像データを補正する（ステップＳ２１０）。したがって、表示ドライバ６１にこの補正された画像データが供給されることにより、表示部６には暖色系に補正された写真画像が表示されることとなる。
【００４９】
なお、本実施の形態においては、ＣＤＭＡ  ２００００  １ｘＥＶ−ＤＯにおけるＨＤＲ（Ｈｉｇｈ  Ｄａｔａ  Ｒａｔｅ）をベースにした無線高速データ通信について詳述したが、所謂３．５世代携帯電話サービスにおけるＨＳＤＰＡ（Ｈｉｇｈ  Ｓｐｅｅｄ  Ｄｏｗｎｌｉｎｋ  Ｐａｃｋｅｔ  Ａｃｃｅｓｓ）技術による高速データ通信であっても良い。
【図面の簡単な説明】
【００５０】
【図１】本発明の一実施の形態に係る携帯電話の蓋を開いた状態の正面図である。
【図２】同携帯電話の蓋を開いた状態の背面図である。
【図３】同携帯電話の回路構成を示すブロック図である。
【図４】ＲＡＭのメモリ構成図である。
【図５】第１の実施の形態における再生モード時の処理手順を示すフローチャートである。
【図６】ステップＳ１０４〜Ｓ１０６の処理手順を示す説明図である。
【図７】第２の実施の形態における再生モード時の処理手順を示すフローチャートである。
【符号の説明】
【００５１】
１    携帯電話（通信機能付撮像装置、電子機器）
６    表示部（表示手段、表示部）
８    キー入力部
１８    受信信号処理部（通信手段、通信部）
１９    通信信号処理部（通信手段、通信部）
２０    第１制御部
２１    スイッチ
２２    第２制御部（判断手段、表示制御手段）
２３    プログラムＲＯＭ
２４    ＲＡＭ
２５    圧縮伸張処理部
６１    表示ドライバ
６２    表示バッファ
８５    再生キー
１７１    撮像デバイス（撮像手段、撮像部）
１７２    ＤＳＰ
２０３    システムＲＯＭ
２０４    インターフェイス処理部
２４３    画像記憶領域
２４４    ダウンロードデータ記憶領域
２４５    ワークメモリ
Ｐ０      対象ピクセル
Ｐ１〜Ｐ８    周囲ピクセル
【図１】
2005316218.tif 000003
【図２】
2005316218.tif 000004
【図３】
2005316218.tif 000005
【図４】
2005316218.tif 000006
【図５】
2005316218.tif 000007
【図６】
2005316218.tif 000008
【図７】
2005316218.tif 000009